(57)【要約】      （修正有）【課題】オプトエレクトロニクス部品の保持と電気的接続の両方を解決するとともに、回路形状のフレキシビリティと実装工程を単純化する。【解決手段】ボディの上に固定するメタルクラスタ３の接触用アーム６は弾性材料で形成され、ＬＥＤ１とその下に位置する電極との電気的接触を作り出す。位置決め用アーム７は突出部９を具備し、ＬＥＤ１がソケットの中に入り接触アーム６を押す。【選択図】図６
2007035680.tif 000002
【特許請求の範囲】
【請求項１】
ＰＬＣＣ２型およびＰＬＣＣ４型の発光ダイオード（ＬＥＤ）のようなオプトエレクトロニクス部品の接続用及び保持用装置であって、前記装置がメタルクラスタ３を配設したプラスチック製のボディ２から形成されることを特徴とする、オプトエレクトロニクス部品の接続用及び保持用装置。
【請求項２】
ボディ２が、開口部４とリミットストップ５とを具備していることを特徴とする、請求項１に記載のオプトエレクトロニクス部品の接続用及び保持用装置。
【請求項３】
メタルクラスタ３が、ＬＥＤ１の接触用要素６及び保持用かつ位置決め用の要素７とによって形成されていることを特徴とする、請求項１に記載のオプトエレクトロニクス部品の接続用及び保持用装置。
【請求項４】
接触用要素６が、弾性材料から作られていることを特徴とする、請求項２に記載のオプトエレクトロニクス部品の接続用及び保持用装置。
【請求項５】
接触用要素６が、ＬＥＤ１の下に位置する電極１ｂと接触することを特徴とする、請求項４に記載のオプトエレクトロニクス部品の接続用及び保持用装置。
【請求項６】
位置決め用かつ保持用要素７が、その上部に突出部９を具備していることを特徴とする、請求項１〜５のうちのいずれか一つに記載のオプトエレクトロニクス部品の接続用及び保持用装置。
【請求項７】
位置決め用かつ保持用要素７が、ＬＥＤ１の電極１ｂの側部と接触していることを特徴とする、請求項１〜６のうちのいずれか一つに記載のオプトエレクトロニクス部品の接続用及び保持用装置。
【請求項８】
突出部９が、ＬＥＤ１の電極１ｂの上部に対して押すことを特徴とする、請求項４に記載のオプトエレクトロニクス部品の接続用及び保持用装置。
【発明の詳細な説明】
【技術分野】
【０００１】
本発明は、ＰＬＣＣ２型およびＰＬＣＣ４型の発光ダイオード（ＬＥＤ）のようなオプトエレクトロニクス部品の接続用及び保持用装置に係る。
【背景技術】
【０００２】
発光ダイオードのようなオプトエレクトロニクス部品は、通常は、プリント回路基板上にハンダ接合部によって固定されている。しかしながら、発光ダイオードを保持するために想定されたプリント回路は、剛体で平坦であるので、ドーム型のような特定の形状を有する光デバイスを生産するのは複雑でコストがかかるものである。
【０００３】
さらに、これらの発光ダイオードがプリント回路基板の上に実装されるとき、さまざまな操作を行うことを要するのであり、すなわち、そのプリント回路基板に接着剤を印加すること、発光ダイオードを取り付けること、そのデバイスの上に錫を印加して、それから、ハンダ炉の中で加熱すること、などを要する。これらの実装工程の終結時に、ハンダ接合部のチェックが、その後に実行される。
【０００４】
これらのさまざまな制約は、発光ダイオードのようなオプトエレクトロニクス部品を使用するデバイスなどの生産コストの増大するのであり、それは、それらの実装工程が長く、平面形状ではないデバイスの場合、時には、複雑となるのである。
【発明の開示】
【発明が解決しようとする課題】
【０００５】
本発明が目的とするところは、発光ダイオードのようなオプトエレクトロニクス部品の保持と電気的接続との両方への解決策を供する装置を提案することによって、これらの欠点を解決するものであり、また同時に、回路の形状についてのフレキシビリティと実装工程の単純化を提供することによって、解決するものである。
【課題を解決するための手段】
【０００６】
この目的のために、本発明の主題は、ＰＬＣＣ２型およびＰＬＣＣ４型の発光ダイオードのようなオプトエレクトロニクス部品の保持用及び接続用装置であって、該装置がメタルクラスタを配設したボディから形成されることを特徴とする、オプトエレクトロニクス部品の接続用及び保持用装置である。
【０００７】
発光ダイオードは、略記を用いるとＬＥＤと標記され、これは、さまざまな型のフォーマットを有することができる。ＰＬＣＣ２及びＰＬＣＣ４の型式において、各ＬＥＤは、表面実装のために設計されたオプトエレクトロニクス部品である。
【０００８】
本発明は、添付の各図面を参照することにより、より良く理解されるものであり、すなわち、
図１は、ＬＥＤを上から見た概略描写図であり、
図２は、ＬＥＤを下から見た描写図であり、
図３は、ボディの描写図であり、
図４は、ＬＥＤを挿入した後のボディの描写図であり、
図５は、メタルクラスタの描写図であり、
図６は、ＬＥＤを付加したときのメタルクラスタの上面描写図であり、
図７は、ＬＥＤを付加したときのメタルクラスタの側面描写図である。
【０００９】
ＬＥＤ１は、発光領域１ａと、電気接続を供する電極１ｂとから構成される。
【００１０】
本発明による装置は、主要構成として、メタルクラスタ３が付着されたプラスチック製のボディ２から形成される。ＬＥＤ１は、このメタルクラスタ３の中に挿入され得る。
【００１１】
メタルクラスタは、電気経路を形成する接触部アッセンブリから構成され、このアッセンブリは、所望の形状になるように、切断されて折り曲げられている。
【００１２】
このシングルピースアッセンブリは、その後、一緒に接続され、そして、いわゆる、デシャンタージュ操作によって分離される。この操作の間、さまざまな電気経路の接続をなすブリッジ、あるいはシャントを切断して、そのようにして、操作電気回路を得ることができる。
【００１３】
そのプラスチック成分によって、ボディ２は、照明システムの所望の美的外観に対応させて、平坦形あるいはドーム形さらには他のいかなる形状にもすることができるものである。
【００１４】
このボディ２の形状、それは、ＬＥＤ１が挿入され固定保持されることができるような形状である。事実、それは、アッセンブリすべきＬＥＤ１を位置決めするように設計された開口部４を具備するとともに、ＬＥＤ１がボディ２に挿入されるとき、ＬＥＤ１をストップさせるリミットストップ５を合わせ具備するものである。
【００１５】
ボディ２の上に固定するメタルクラスタ３は、接触用アーム６とＬＥＤを位置決め保持するように設計されたアーム７とから構成される。メタルクラスタは、ボディ２に装着できるような穴８を具備している。
【００１６】
メタルクラスタ３の接触用アーム６により、ＬＥＤ１の下に位置する電極１ｂとの電気的接触を作り出すようにできる。この接触用アーム６は、弾性材料で形成されており、その弾性材料は、スプリング装荷され得るのであり、その弾性材料により、電極１ｂとの良好な電気的接触を有するよう確保する。
【００１７】
メタルクラスタ３の位置決め用アーム７の一つの目的は、各ＬＥＤの各電極１ｂとの電気的接触を供給しようとするものである。この電気的接触は、電極１ｂの側方で実行される。さらに、位置決め用アーム７は、ソケットの中のＬＥＤ１の適正な位置決めを確保するものである。
【００１８】
その上部では、この位置決め用アーム７は、突出部９を具備して、突出部それ自身がＬＥＤ１の電極１ｂの上部に位置しており、したがって、ＬＥＤ１が、そのソケットの中に入るように確保し、かつまた、ＬＥＤ１が、接触用アーム６に対して押すように確保する。
【００１９】
本発明による製品は、電気的接触をＬＥＤの各電極の最少二点で確保することを可能とし、それは、接触用アームの過程と、保持用アームの上に位置する突出部の恩恵によるものであり、これら双方は、接触を維持するため、協働するようになっている。
【００２０】
さらに、メタルクラスタのアームの各々が温度的な役割を演じ、それは、ＬＥＤによって発生した熱を、各電極を介して放散できるようになっている。
【００２１】
さらに、所望の電気回路を形成するために、メタルクラスタは、ブリッジやシャントを具備される。これらブリッジやシャントは、メタルクラスタをプラスチックボディの上にアッセンブリする間に、カットされるものである。
【００２２】
メタルクラスタは、一つまたは多くのＬＥＤを具備することができる。メタルクラスタは、さまざまの形状をとることができ、プラスチックボディの形状を調節して、生産すべき三次元の電気回路を可能にできる。
【００２３】
本発明は、特定の実装の手段を用いて説明されてきたが、本発明は、ここに説明されている手段の等価な技術のすべてを包含するものである。
【図面の簡単な説明】
【００２４】
【図１】ＬＥＤを上から見た概略描写図
【図２】ＬＥＤを下から見た描写図
【図３】ボディの描写図
【図４】ＬＥＤを挿入した後のボディの描写図
【図５】メタルクラスタの描写図
【図６】ＬＥＤを付加したときのメタルクラスタの上面描写図
【図７】ＬＥＤを付加したときのメタルクラスタの側面描写図
【符号の説明】
【００２５】
１  ＬＥＤ
２  ボディ
３  メタルクラスタ
４  開口部
５  リミットストップ
６  接触用要素
７  保持用かつ位置決め用要素
８  穴
９  突出部
【図１】
2007035680.tif 000003
【図２】
2007035680.tif 000004
【図３】
2007035680.tif 000005
【図４】
2007035680.tif 000006
【図５】
2007035680.tif 000007
【図６】
2007035680.tif 000008
【図７】
2007035680.tif 000009
【外国語明細書】
DEVICE FOR HOLDING AND FOR THE CONNECTION OF OPTOELECTRONIC COMPONENTS SUCH AS LEDS OF THE PLCC2 AND PLCC4 TYPE
The present invention relates to a device for holding and for the connection of optoelectronic components such as light-emitting diodes (LEDs) of the PLCC2 and PLCC4 type.
Optoelectronic components, such as light-emitting diodes, are usually fixed onto printed circuits by means of a solder joint. However, since printed circuits designed for holding light-emitting diodes are rigid and flat, it becomes complicated and costly to produce lighting devices having a specific shape, such as a domed shape.
Furthermore, when these light-emitting diodes are mounted onto the printed circuits, several operations need to be performed, namely the application of adhesive onto the circuit, the installation of the light-emitting diode, the application of tin onto the device which is then heated in the soldering oven. A check of the solder joints is then carried out at the end of the mounting process.
These different constraints increase the production costs of devices using optoelectronic components, such as light-emitting diodes, in that their mounting process is long and sometimes complicated in the case of non-planar shaped devices.
The invention aims to remedy these different drawbacks by proposing a device that provides a solution for both the holding and the electrical connection of optoelectronic components, such as light-emitting diodes, while at the same time providing flexibility in terms of circuit shapes and a simplification of the mounting process.
For this purpose, the subject of the present invention is a device for holding and for the connection of optoelectronic components, such as light-emitting diodes  of the PLCC2 and PLCC4 type, wherein said device is formed from a body on which a metal cluster is disposed.
Light-emitting diodes, denoted using the abbreviation LEDs, can have various types of format. In their form PLCC2 and PLCC4, the LEDs are optoelectronic components designed for surface mounting.
The invention will be better understood with reference to the appended drawings, in which:
・  Figure 1 is a schematic representation of an LED seen from above,
・  Figure 2 is a representation of an LED seen from below,
・  Figure 3 is a representation of the body,
・  Figure 4 is a representation of the body after insertion of the LED,
・  Figure 5 is a representation of the metal cluster,
・  Figure 6 is a representation of the top side of the metal cluster when the LED is attached,
・  Figure 7 is a lateral representation of the metal cluster when the LED is attached.
The LEDs 1 are composed of a light-emitting region 1a and of electrodes 1b providing the electrical connection.
The device according to the invention is formed principally from a body 2 made of plastic to which a metal cluster 3 is attached. An LED 1 can be inserted into the metal cluster 3.
The metal cluster is composed of an assembly of contacts forming electrical pathways, this assembly being cut up and bent according to the shapes that are desired.
This single-piece assembly is then connected together and separated by an operation called de-shunting. During this operation, bridges, or shunts, connecting the various electrical pathways are cut, thus allowing an operational electrical circuit to be obtained.
Owing to its plastic composition, the body 2 could be of plane or domed shape, or of any other shape, according to the desired aesthetic appearance of the lighting system.
The shape of this body 2 is such that it allows the LED 1 to be inserted and held fixed. Indeed, it is equipped with both openings 4 designed for positioning the LEDs 1 to be assembled and with limit stops 5 which will stop the LED 1 when it is inserted into the body 2.
The metal cluster 3 that fixes onto the body 2 comprises a contact arm 6 and also an arm 7 designed for positioning and holding the LEDs. The cluster is equipped with holes 8 allowing it to be attached to the body 2.
The contact arm 6 of the metal cluster 3 allows the electrical contact with the electrodes 1b situated under the LED 1 to be established. This contact arm 6 is formed from an elastic material which allows it to be spring loaded and ensures that it has a good electrical contact on the electrodes 1b.
One purpose of the positioning arm 7 of the metal cluster 3 is to provide an electrical contact on the electrodes 1b of the LEDs. This contact is made on the side of the electrodes 1b. Furthermore, the positioning arm 7 ensures the correct positioning of the LED 1 in its socket.
On its upper part, this arm 7 is equipped with a spigot 9 that locates itself on the upper part of the electrode 1b of the LED 1, thus ensuring that the latter is held in its socket and also that it pushes against the contact arm 6.
The product according to the invention allows the electrical contact to be ensured at a minimum of two points on each electrode of the LED by way of the contact arm and thanks to the spigot situated on the holding arm, both acting together in order to maintain the contact.
Furthermore, each of the arms of the metal cluster plays a thermal role in that they allow heat generated by the LED to be dissipated via the electrodes.
Moreover, in order to form the desired electrical circuit, the metal cluster is equipped with bridges or shunts. These will be cut during the assembly of the metal cluster onto the plastic body.
The metal cluster may be equipped with one or more LEDs. It can have various shapes that adjust to the shapes of the plastic body allowing three-dimensional electrical circuits to be produced.
Although the invention has been described using specific means of implementation, it includes all the technical equivalents of the means described.
1.     A device for holding and for the connection of optoelectronic components, such as light-emitting diodes (LEDs) of the PLCC2 and PLCC4 type, wherein said device is formed from a body 2 made of plastic on which a metal cluster 3 is disposed.
2.     The holding and connection device as claimed in claim 1, wherein the body 2 is equipped with openings 4 and with limit stops 5.
3.     The holding and connection device as claimed in claim 1, wherein the metal cluster 3 is formed by a contact element 6 and by an element 7 providing the holding and the positioning  of the LED 1.
4.     The holding and connection device as claimed in claim 2, wherein the contact element 6 is made of elastic material.
5.     The holding and connection device as claimed in the preceding claim, wherein the contact element 6 is in contact with the electrodes 1b situated under the LED 1.
6.     The holding and connection device as claimed in one of the preceding claims, wherein the positioning and holding element 7 is equipped with a spigot 9 on its upper part.
7.     The holding and connection device as claimed in one of the preceding claims, wherein the holding and positioning element 7 is in contact with the side of the electrodes 1b of the LED 1.
8.     The holding and connection device as claimed in claim 4, wherein the spigot 9 pushes against the upper part of the electrode 1b of the LED 1.
Device for holding and for the connection of optoelectronic components, such as light-emitting diodes (LEDs) of the PLCC2 and PLCC4 type, wherein said device is formed from a body 2 made of plastic on which a metal cluster 3 is disposed.
Abstract figure: Figure 6
【図１】
2007035680.tif 000010
【図２】
2007035680.tif 000011
【図３】
2007035680.tif 000012
【図４】
2007035680.tif 000013
【図５】
2007035680.tif 000014
【図６】
2007035680.tif 000015
【図７】
2007035680.tif 000016